(57)【特許請求の範囲】
【請求項１】
検査ボリュームの代わりの電子密度マップを計算するための処理システムであって、
-複数の磁気共鳴イメージングデータを使用して第1の電子密度マップを計算し、
-第2の電子密度マップを計算し、前記第2の電子密度マップは前記第1の電子密度マップの簡略化バージョンであり、前記第2の電子密度マップは、前記第1の電子密度マップの輪郭に対応し、均一な値で満たされ、
-前記第1の電子密度マップと前記第2の電子密度マップとを用いて前記代わりの電子密度マップを計算する
ように構成され、
前記処理システムは、前記代わりの電子密度マップを得るために、一つ又はそれより多くのアーチファクト領域において、前記第1の電子密度マップを前記第2の電子密度マップによって置き換えるように構成される、
処理システム。
【請求項２】
ユーザインターフェースシステムを有し、前記ユーザインターフェースシステムは、前記第1の電子密度マップを表示するように構成され、前記ユーザインターフェースシステムは、ユーザが前記第1の電子密度マップ上で前記一つ又はそれより多くのアーチファクト領域を識別し、画定するユーザデータを入力することを可能にするユーザ入力システムを有する、請求項１に記載の処理システム。
【請求項３】
前記均一な値は等価水密度である、請求項１乃至２の何れか一項に記載の処理システム。
【請求項４】
線量分布を計算するための計画システムであって、
-請求項１乃至３の何れか一項に記載の処理システムであって、複数のイメージングデータ、第2の電子密度マップ、及び代わりの電子密度マップを使用して第1の電子密度マップを計算するように構成され、前記代わりの電子密度マップは前記第1及び第2の電子密度マップを使用して計算される、処理システムと、
-前記第1の電子密度マップを使用して第1の線量分布を計算し、前記代わりの電子密度マップを使用して第2の線量分布を再計算するように構成される放射線治療計画システムと
を有する、計画システム。
【請求項５】
検査ボリュームの代わりの電子密度マップを計算する方法であって、
-複数の磁気共鳴イメージングデータを用いて第1の電子密度マップを計算するステップと、
-第2の電子密度マップを計算するステップであって、前記第2の電子密度マップは前記第1の電子密度マップの簡略化バージョンであり、前記第2の電子密度マップは、前記第1の電子密度マップの輪郭に対応し、均一な値で満たされる、ステップと、
-前記第1の電子密度マップ及び前記第2の電子密度マップを用いて前記代わりの電子密度マップを計算するステップと、
一つ又はそれより多くの識別されるアーチファクト領域において、前記第1の電子密度マップを前記第2の電子密度マップで置き換えて、前記代わりの電子密度マップを得るステップと
を有する、方法。
【請求項６】
前記第1の電子密度マップを表示するステップと、前記一つ又はそれより多くのアーチファクト領域を識別するユーザ入力データを得るステップと
を有する、請求項５に記載の方法。
【請求項７】
前記第2の電子密度マップに、水等価密度値を割り当てるステップ
を有する、請求項５乃至６の何れか一項に記載の方法。
【請求項８】
線量分布を計算する方法であって、
-第1の電子密度マップを計算するステップと、
-前記第1の電子密度マップを使用して第1の線量分布を計算するステップと、
-請求項５乃至７の何れか一項に記載の方法及び/又は請求項１乃至４の何れか一項に記載のシステムを用いて代わりの密度マップを計算するステップと、
-前記代わりの電子密度マップを使用して第2の線量分布を計算するステップと
を有する、方法。
【請求項９】
プロセッサが請求項５乃至７の何れか一項に記載の方法のステップを実行することを可能にする命令を、コンピュータに実行させるために記憶される制御論理を有する、コンピュータプログラム。
【請求項１０】
コンピュータプログラムであって、
-複数の磁気共鳴イメージングデータを使用して第1の電子密度マップを計算し、
-前記第1の電子密度マップの簡略化バージョンであり、前記第1の電子密度マップの輪郭に対応し、均一な値で満たされる第2の電子密度マップを計算し、
-前記第1の電子密度マップと前記第2の電子密度マップとを用いて、前記代わりの電子密度マップを計算し、
一つ又はそれより多くの識別されるアーチファクト領域において、前記第1の電子密度マップを前記第2の電子密度マップで置き換えて、前記代わりの電子密度マップを得る
ように構成されるコンピュータ手段を有する、コンピュータプログラム。
【請求項１１】
プロセッサが請求項８に記載の方法のステップを実行することを可能にする命令を、コンピュータに実行させるために記憶される制御論理を有する、コンピュータプログラム。
【発明の詳細な説明】
【技術分野】
【０００１】
本発明は、放射線治療計画のための磁気共鳴（MR）イメージングの分野に関する。より具体的には、本発明は、検査ボリュームの代わりの電子密度マップを計算するシステム及び方法に関する。
【背景技術】
【０００２】
コンピュータ断層撮影法（CT）は、放射線治療計画の分野で使用され、CTイメージングによって収集される情報は電子密度（ED）に直接関連し、治療シミュレーション中の放射線量の計算の基礎として使用されることができる。
放射線被ばくを低減するために、磁気共鳴（MR）イメージングによって検査されるべき患者の電子密度（ED）マップを生成することが提案されている。磁気共鳴イメージング（MRI）は、強力な磁場及び電波を用いて、体内の器官及び内部構造の断面画像を生成する。 MRI装置によって検出される信号は、体内の特定の領域の含水率及び局所的な磁気特性に依存して変化するため、調査画像において異なる組織又は物質が互いに区別されることができる。
電子密度マップは磁気共鳴信号から導出され、磁気共鳴イメージングから導出されるこのような電子密度マップはMR-CAT画像（「MR-計算減衰」）と呼ばれる。このような画像は、コンピュータ断層撮影画像と同様の情報を表すが、X線による有害な照射は必要とされないため、「合成CT画像」と命名されてもよい。磁気共鳴ベースの放射線治療プランニングでは、MR-CAT画像から収集される情報に基づいて線量分布が計算される。
【０００３】
画像収集の物理学のために、磁気共鳴強度は電子密度に一意に対応しない。したがって、CT画像からこれらの電子密度マップを推定するときに一般的に行われるように、単純なルックアップ操作によって電子密度マップはMR画像から導出されることはできない。 MR画像からCTのような画像を作成するための第1のアプローチは、「MRのみに基づく放射線治療計画のための骨盤におけるディクソンに基づく軟組織及び骨の分類の評価」(Michael  Helle、Nicole  Schadewaldt他、ISMRM  2014要約)に記載される。この第1のアプローチは、多数の所定の組織クラスへのバルク密度の割り当てに依存している。他のアプローチは、「超短エコー時間を有するMRIシーケンスから得られるCT代替」と題される科学論文（Adam  Johansson、Mikael  Karlsson及びTufve  Nyholm、Medical  Physics 38（5）  2011年5月）に記載のように、多次元MR情報からCT値依存をモデリングすることにある。
しかしながら、これらのアプローチによって得られるMR-CAT画像は、例えば、 MR収集又は画像処理からの画像アーチファクトによる不正確な電子密度マップ等価物である。これは、その後、計算される線量分布の差につながる可能性がある。線量分布に関してMR-CATアーチファクトの実際の影響を推定することは困難である。したがって、MR画像から推定電子密度マップを作成することは問題である。
【発明の開示】
【発明が解決しようとする課題】
【０００４】
上記を考慮して、本発明の目的は、磁気共鳴イメージングから、改善された電子密度マップのためのシステム及び方法を提供することにある。
【課題を解決するための手段】
【０００５】
本発明によれば、目的は、請求項1の特徴を有する処理システム、請求項5の特徴を有する計画システム、請求項6の特徴を有する方法、請求項10の特徴を有する方法によって達成される。好ましい実施例はそれぞれの従属請求項に規定されている。
【０００６】
本開示の一態様では、検査ボリュームの代わりの電子密度マップを計算するための処理システムが提供される。処理システムは、複数のイメージングデータを使用して第1の電子密度マップを計算し、第1の電子密度マップの簡略化バージョンである第2の電子密度マップを計算し、第1の電子密度マップと第2の電子密度マップとを用いて代わりの電子密度マップを計算するように構成される。したがって、本開示は、未知のエラーとともに得られる電子密度マップを代わりの電子密度マップで置き換えることを教示する。本発明は、特に磁気共鳴イメージングによる電子密度（ED）マップの計算に関する。本発明の計算には2つの段階がある。まず、第1のEDマップが計算される。第1のEDマップの簡略化バージョンである第2のEDマップが計算される。特に、第2のEMマップは、第1のEDマップと同じ解剖学的構造の部分を表すが、細部を含まないという点で簡略化されている。一般に、第2のEDマップはアーチファクトの影響を受けにくい。次に、本発明によれば、代わりのEDマップを計算するために第2のEDマップが第1のEDマップとともに使用される。本発明の好ましい実施例では、代わりのEDマップは、第1のEDマップのアーチファクト領域を第2の（より単純な）EDマップ（のデータ）で置き換えることによって形成される。本発明の洞察は、例えば放射線治療計画のために、代わりのEDマップが第一のEDマップより信頼性が高いことにある。アーチファクト領域のより少ない細部で置き換えることは有利であり、第一のEDマップでアーチファクトを完全に除去又は回避する労力を必要としない。
【０００７】
本開示の他の態様では、処理システムは、代わりの電子密度マップを得るために、一つ又はそれより多くのアーチファクト領域において、第1の電子密度マップを第2の電子密度マップで置き換えるように構成される。したがって、本発明は、アーチファクトの影響を受けにくい簡略化された電子密度マップを使用することを提案する。代わりの電子密度マップは線量分布のエラーにつながる可能性があるが、これらのエラーは臨床的許容限界内にあることが知られている。言い換えれば、線量分布に及ぼす未知の影響を伴う一つ又はそれより多くのアーチファクト領域は、線量分布に対する許容可能な影響を有するアーチファクトに置き換えられてもよい。
【０００８】
本システムのさらなる態様では、ユーザインターフェースシステムが提供され、第1の電子密度マップを表示するように構成され、ユーザインターフェースシステムは、ユーザが第1の電子密度マップ上に一つ又はそれより多くのアーチファクト領域を識別し、画定するユーザデータを入力することを可能にするユーザ入力システムを有する。したがって、ユーザは、第1の電子密度マップをインタラクティブに分析して、どのゾーンがアーチファクト領域とみなされるべきかを決定することができる。
【０００９】
一態様では、第2の電子密度マップは、第1の電子密度マップの輪郭に対応し、均一な値で満たされ、特に均一な値は等価水密度である。均一な値で満たされる輪郭は、計算が容易で合理的なエラーをもたらす簡略化される第1の電子密度マップの例である。
【００１０】
本開示は、線量分布を計算するための計画システムを提案する。計画システムは、上述したような処理システムを有する。計画システムは、複数の画像データ、第2の電子密度マップ及び代わりの電子密度マップを使用して第1の電子密度マップを計算するように構成され、代わりの電子密度マップは前記第1及び第2の電子密度マップを使用して計算される。計画システムは、第1の電子密度マップを使用して第1の線量分布を計算し、代わりの電子密度マップを使用して第2の線量分布を再計算するように構成される放射線治療計画システムをさらに有する。
【００１１】
本発明は、検査ボリュームの代わりの電子密度マップを計算する方法であって、複数の画像データを用いて第1の電子密度マップを計算するステップと、第2の電子密度マップを計算するステップであって、第2の電子密度マップは第1の電子密度マップの簡略化されたバージョンである、ステップと、前記第1の電子密度マップ（80）及び前記第2の電子密度マップ（82）を用いて前記代わりの電子密度マップ（84）を計算するステップとを含む方法を教示する。
【００１２】
本開示の一態様では、本方法は、一つ又はそれより多くの識別されるアーチファクト領域において、第1の電子密度マップを第2の電子密度マップで置き換えて、代わりの電子密度マップを得るステップを有する。したがって、本方法は、未知のエラーを許容可能であると知られているエラーで置き換えることを提案する。
【００１３】
本開示のさらなる態様では、この方法は、第1の電子密度マップを表示し、一つ又はそれより多くのアーチファクト領域を識別するユーザ入力データを得るステップを有する。これにより、ユーザは、彼の判断に従って、第1の電子密度マップの一つ又はそれより多くのゾーンがアーチファクトとみなされるべきかを評価し、これらの一つ又はそれより多くのアーチファクト領域を境界付けすることができる。
【００１４】
本開示の一態様では、本方法は、第2の電子密度マップに、均一な密度値、特に水等価密度値を割り当てるステップを有する。水等価密度値のような均一な密度値は、許容可能なエラーにつながることが知られている。均一な値は、代わりの電子密度マップの計算のために、さらに容易に処理される。
【００１５】
本開示は、線量分布を計算する方法であって、第1の電子密度マップを計算するステップと、第1の電子密度マップを使用して第1の線量分布を計算するステップと、上記の方法及び／又は上記のシステムを用いて代わりの密度マップを計算するステップと、代わりの電子密度マップを使用して第2の線量分布を計算するステップとを有する、方法も提案する。したがって、この方法は、ユーザが線量分布上の一つ又はそれより多くのアーチファクト領域の潜在的影響を評価することを可能にする。
【００１６】
本開示はさらに、プロセッサに、提案される方法のステップを実行させる命令をコンピュータに実行させるためにここに記憶される制御論理を有するコンピュータプログラムプロダクトを提案する。本開示は、複数のイメージングデータを使用して第1の電子密度マップを計算し、第1の電子密度マップの簡略化バージョンである第2の電子密度マップを計算し、第1の電子密度マップと第2の電子密度マップとを用いて、代わりの電子密度マップを計算するように構成されるコンピュータ手段を有するコンピュータプログラムプロダクトを提案する。
【００１７】
本発明のこれら及び他の態様は、添付の図面を参照して以下に記載される好ましい実施形態を参照して明らかになるであろう。
【図面の簡単な説明】
【００１８】
【図１】本発明の好ましい実施形態によるシステムのブロック図である。
【図２Ａ】図1のシステムで得られた画像密度マップを示す。
【図２Ｂ】図1のシステムで得られた他の画像密度マップを示す。
【図３Ａ】第1の画像密度マップ及び対応する線量分布を示す。
【図３Ｂ】図1のシステム及び図2の方法で得られる代わりの画像密度マップ及び対応する線量分布を示す。
【図４】本開示の一態様による代わりの電子密度マップを計算する方法を示す。
【図５】本開示の一態様による放射線計画方法を示す。
【発明を実施するための最良の形態】
【００１９】
図1は、検査ボリュームVの電子密度マップを推定するためのシステム1を示す。システム1は、推定電子密度マップに基づいて線量分布を計算するようにさらに構成される。
【００２０】
この目的のために、システム1は、検査ボリューム内の物理的特性の特定分布を収集するための複数の画像データ20を収集するためのイメージングシステム10を有する。イメージングシステム10は、記載される実施形態において、当業者に知られているように、磁気共鳴（MR）イメージングシステムである。この場合、物理的特性は磁気共鳴強度である。しかしながら、イメージングシステムは、イメージングデータが電子密度マップを推定するために使用され得る他のタイプのイメージングシステムになり得る。
【００２１】
システム1は、複数の画像データ20を処理するように構成される処理システム30をさらに有する。処理システム30は、収集される複数の画像データ20に基づいて第1の電子密度マップ80を生成するように構成される。第1の電子密度マップ80は骨及び軟部組織の内部構造を示す。第1の電子密度マップ80は、当業者に公知の計算技術を使用して計算されることができる。
【００２２】
第1電子密度マップ80の一例が図3Aに示される。当業者は、第1の電子密度マップ80が、イメージングシステム10及び当業者に知られている計算イメージング技術を使用して可能な限り高い詳細なレベルを有するように計算されることができることを理解するであろう。冒頭で説明されたように、第1の電子密度マップ80は、アーチファクト領域90と識別される一つ又はそれより多くのゾーンを有する、MR-CAT画像（「MR-計算減衰」）に対応する。図3Aに示されるように、第1の電子密度マップ80は、アーチファクト値91を備えるアーチファクトを有する1つのアーチファクト領域90と、図3Aの輝点として示される近傍値92を備えるその近傍とを有する。このアーチファクト領域90は、磁気共鳴収集からもたらされ、又は複数のイメージングデータの処理中及び第1の電子密度マップ80の計算中の割り当てエラーからもたらされる。
【００２３】
処理システム30は、第2の電子密度マップ82を生成するようにさらに構成される。第2の電子密度マップ82は、第1の電子密度マップ80と比較すると、細部のより低いレベルだがアーチファクトのより少ないリスクを有する、簡略化電子密度マップである。記載される実施形態では、第2の電子密度マップ82は、第1の電子密度マップ80の輪郭92を表すことができる。第2の電子密度マップ82は、均一な密度値93で満たされることができる。第2の電子密度マップ82の例は図3Bに示される。この例において、第2の電子密度マップ82は、輪郭が描かれ、水分等価密度値で満たされるセグメント化体を表す。これは非限定的な例であり、他の密度等価値が使用されてもよい。
【００２４】
処理システム30はさらに、第1の電子密度マップ80及び第2の電子密度マップ82を使用して第3の電子密度マップ84を導出するように構成される。より正確には、処理システム30は、相関される第3の電子密度マップ84を得るために、第1の電子密度マップ80において識別される一つ又はそれより多くのアーチファクト90において、第2の電子密度マップ82によって第1の電子密度マップ80を置換する。すなわち、アーチファクト値91を備えるアーチファクト及び第1の電子密度マップ80における近傍値92を備えるその近傍は、識別されるアーチファクトの第2の電子密度マップ82からの第2の電子密度マップ密度値93によって置換される。第2電子密度マップ密度値93は、置換値93である。
【００２５】
ユーザインタフェースシステム40は、システム1に設けられ、ユーザへのインタラクティブな表示のために構成される。ユーザインターフェースシステム40は、処理システム30内に統合されてもよく、又は2次計算デバイスであってもよい。
【００２６】
ユーザインターフェースシステム40は、第1電子密度マップ80、第2電子密度マップ82、及び第3電子密度マップ84のうちの少なくとも1つを表示するように構成される。
【００２７】
ユーザインタフェースシステム40は、ユーザが第1の電子密度マップ80上の一つ又はそれより多くのアーチファクト領域90を識別する識別データ44を入力することを可能にする入力システム42を備えるように構成される。例えば、ユーザは、ペン型デバイスを使用して、識別データ44として、一つ又はそれより多くのアーチファクト領域90のアーチファクト輪郭をディスプレイ上に描く。他の入力システム42は、例えば、シード配置及び領域成長、ペイントボール、領域を囲むライブワイヤ、領域内にボールを配置することを含むことができる。
【００２８】
ユーザは、アーチファクトであると考えられる第1の電子密度マップ80上の領域を識別し、画定する専門的な経験又はアーチファクト領域を識別し、画定するように画像処理システムへの入力又は簡便性のために提供される閾値に頼る。
【００２９】
処理システム30は、アーチファクト領域であるとみなされる領域を識別して画定するように構成することができる。例えば、一つ又はそれより多くのアーチファクト領域90は、体内の皮質骨セグメントにおいてサイズ閾値によって検出されてもよい。処理システム30は、画像内の検出される組織タイプの間の関係を考慮に入れて、この関係をアーチファクトを示すための有効性指標として使用することができる。そのような関係の一例は、骨における皮質骨率であり得る。最小及び最大閾値を使用する方法は、一つ又はそれより多くのアーチファクト領域を境界付けするために使用されることができる。
【００３０】
処理システム30は、第1の電子密度マップ80内の識別される一つ又はそれより多くのアーチファクト領域90を使用し、識別される一つ又はそれより多くのアーチファクト領域90内の第2の電子密度マップ82によって第1の電子密度マップ80を置き換え、第3の電子密度マップ84をもたらすように構成される。
【００３１】
したがって、第3の電子密度マップ84は、アーチファクトフリーであるか、又は識別されるアーチファクト領域90内の検査ボリュームの実際の密度値に対する少なくともずれを有し、それはアーチファクト値91からもたらされる実際の密度値に対するずれよりも小さくなる。言い換えれば、処理システム30は、未知のエラーを有する識別されるアーチファクト領域90を、既知で許容可能なエラーを示す領域で置き換える。第3の電子密度マップ84は、例えば、放射線治療計画に使用されることができる代わりの電子密度マップである。
【００３２】
放射線治療計画システム45は、第1の電子密度マップ80又は第3の電子密度マップ84のうちの1つを使用して、撮像ボリュームのための線量分布を計算するように構成される。特に、放射線治療計画システム45は、第1の電子密度マップ80を用いる撮像ボリュームの第一の線量分布6と、第3の電子密度マップ84を用いる撮像ボリュームの第2の線量分布7とを計算するように構成される。
【００３３】
第1の線量分布6は、図4Aに示されるように、第1の電子密度マップ80上に表示され重ね合わされてもよい。第2の線量分布7は、第3の電子密度マップ84（図4B）上に表示され、重ね合わされてもよい。
【００３４】
第1の電子密度マップ80で計算される第1の線量分布35又は第3の電子密度マップ84上で計算される第2の線量分布37を示す画像は、インタラクティブディスプレイ40又は二次ディスプレイ44によって表示されることができる。
【００３５】
第1の電子密度マップ80で計算される第1の線量分布35又は第3の電子密度マップ84上で計算される第2の線量分布37を示す画像は、インタラクティブディスプレイ40の別々の表示ゾーン、又は二次ディスプレイ44によって同時に表示されてもよい。
【００３６】
当業者であれば、本発明は、特定の領域、例えばありそうもない領域としてユーザによってマークされる領域におけるMR-CAT画像を、一般的に真のEDマップに対してより大きなずれを示すが、治療線量計算にとって許容可能な結果を与えることが知られている他のEDマップからのパッチによって置換することを提案する。換言すれば、未知のエラーを有する領域は、線量分布における既知で許容エラーを示す領域で置き換えられる。
【００３７】
本システムの他の利点は、ユーザが、識別される一つ又はそれより多くのアーチファクト領域を変化させることによって、線量分布に対するアーチファクトの潜在的影響を評価することができることにある。
【００３８】
処理システム30及び放射線治療計画システム45は、一つ又はそれより多くのコンピュータプロセッサを有する何れかのタイプの計算デバイスを使用して実装されることができる。
【００３９】
図4は、本開示の一態様による代わりの電子密度マップ又はMR-CAT画像を計算する方法を示す。この方法は図1のシステムを参照して説明される。
【００４０】
第1のステップS1において、処理システム30は、複数の画像データを使用して、第1の電子密度マップ80を計算する。複数の画像データは、磁気共鳴イメージングシステムから得られる収集データであってもよい。第1の電子密度マップ80は、可能な最良の詳細レベルを示す元のMR-CAT画像に対応する。第1の電子密度マップ80は、妥当ではないと考えられ、したがってアーチファクト領域90であると考えられる一つ又はそれより多くのゾーンを有する。
【００４１】
アーチファクト領域は、ユーザインターフェースシステム40上で第1の電子密度マップ80を視覚化するユーザによって識別されマークアップされてもよい。例えば、ユーザは、第1の電子密度マップ80上に一つ又はそれより多くのアーチファクト領域90を画定する輪郭をペンによって入力することができる。識別及び画定ステップは、適切な画像処理システム及びソフトウェアによって自動的に実行されることもできる。処理システム30は、例えば、アーチファクトを示すための有効性指標として画像内の検出組織タイプ間の関係を使用することができる。そのような関係の一例は、骨の皮質骨分画になり得る。
【００４２】
処理システム30は、磁気共鳴測定によって収集されるイメージングデータに基づいてMR-CAT画像を計算するために当業者に知られている何れかの計算方法を使用することができる。
【００４３】
第2のステップS2において、処理システムは、第1の電子密度マップ80よりも少ない細部を有する、第2の電子密度マップ82を計算する。換言すれば、第2の電子密度マップ82は、第1の電子密度マップ80の簡略化バージョンである。例は図2Bに示されており、第2の電子密度マップ82は、簡略化される第1の電子密度マップ80に対応し、本体輪郭のみがセグメント化され、均一な値で満たされる。例えば、水等価密度値が用いられることができる。
【００４４】
このステップS2は、画像アーチファクトに対してよりロバストである一方、真の密度マップからのずれは、元のMR-CAT画像と比較して一般に大きくなる。
【００４５】
ステップS1及びS2は、並列に又は順次に実行されてもよい。第2の電子密度マップ82は、複数のイメージングデータを用いて計算されることができる。本発明の代わりの態様では、第2の電子密度マップ82は、第1の電子密度マップ80から導き出されることができる。例えば、処理システム30は、第1の電子密度マップの輪郭を導出し、第1の電子密度マップを他の密度値で満たして、第2の電子密度マップ82を提供する。第2の電子密度マップ82は、第1の電子密度マップ80に最大閾値を設定し、この最大閾値を超える何れかの密度値を他の密度で設定することによって生成される。好ましい他の密度値は、水の密度値である。
【００４６】
第3のステップS3において、処理システム30は、第1の電子密度マップ80及び第2の電子密度マップ82を用いて代わりの電子密度マップ84を計算する。処理システム30は、一つ又はそれより多くのアーチファクト90において、第2の電子密度マップ82によって第１の電子密度マップ80を置換して、代わりの電子密度マップ84を得る。
【００４７】
図5は、本開示の一態様における線量分布を計算する方法のワークフローを示す。この方法は、図1に記載されるシステムを参照して説明される。
【００４８】
第1のステップS21において、第1の電子密度マップ80が、磁気共鳴技術又は同様の技術によって得られるイメージングデータを用いて計算される。第1の線量分布6は、第1の電子密度マップを用いて計算され、第1の電子密度マップと共に表示される。
【００４９】
第2のステップS22では、代わりの密度マップ84が、図4を参照して説明される方法を使用して計算される。代わりの密度マップ84を使用して、第2の線量分布7が計算される。第2の線量分布7は、代わりの電子密度マップ84と共に表示される。
【００５０】
第2の線量分布7は、第1の電子密度マップ80のアーチファクト領域90に起因する未知のエラーで生成される第1の線量分布6の代わりに、許容され得るエラーで生成されることが明らかであろう。本開示は、ユーザが、線量分布に対するアーチファクトの潜在的影響を評価することを可能にする。
【００５１】
本発明は、MRベースの密度マップ、例えばPinnacle又はMRベースのRT計画の潜在的なソリューションを使用するRT計画システムに適用可能である。更に、PET / MRシステム上のPET再構成にも適用されることができる。
【００５２】
本発明は、勿論説明される又は図示される実施形態に限定されるものではなく、前述の説明及び図面に照らして見られるように概して添付の特許請求の範囲内に入る何れの実施形態にも及ぶ。本発明の特定の特徴は、例示される実施形態のうちの1つのみに関して上述されているが、何れかの所与の特定の用途に所望され、有利であるように、他の実施形態の一つ又はそれより多くの特徴と組み合わされることができる。本発明の上記説明から、当業者は、改良、変更及び修正を認識するであろう。そのような改良、変更、及び修正は、添付の特許請求の範囲によってカバーされることが意図される。特許請求の範囲内のいかなる参照符号も、本発明の範囲を限定するものではない。用語「有する（comprising）」は、他の要素又はステップを排除するものではなく、用語「a」又は「an」は複数を除外しないことを理解される。
【符号の説明】
【００５３】
1：システム
6：第一の線量分布
7：第二の線量分布
10：イメージングシステム
20：複数の画像データ
30：処理システム
40：ユーザーインターフェースシステム
42：ユーザー入力部
44：二次ディスプレイ
80：第一の電子密度マップ
82：第二の電子密度マップ
84：第三の電子密度マップ
90：アーチファクトゾーン
91：密度値アーチファクト
92：密度値の近似
93：置換密度値
95：輪郭
【図１】
0006802177.tif 000002
【図２Ａ】
0006802177.tif 000003
【図２Ｂ】
0006802177.tif 000004
【図３Ａ】
0006802177.tif 000005
【図３Ｂ】
0006802177.tif 000006
【図４】
0006802177.tif 000007
【図５】
0006802177.tif 000008